(57)【要約】      （修正有）【課題】表示モジュール、端末装置及び表示モジュールの製造方法の提供。【解決手段】表示モジュールは、フレーム１０１と、フレーム内に取り付けられる液晶パネル１０２と、液晶パネルの入光面に貼合されるガラス拡散板１０３と、１種類又は複数種類の光学膜を含み、液晶パネルとガラス拡散板との間に貼合される膜構造１０４であって、膜構造の入光面がガラス拡散板に向かい、膜構造の出光面が液晶パネルの入光面に向かい、液晶パネル、ガラス拡散板及び膜構造が貼合されて一体構造を形成する、膜構造と、を備える。ガラス拡散板により液晶パネル全体を間接的に支持して液晶パネルの組立を実現し、支持面積を増加させ、表示モジュールの組立信頼性を向上させることができる。【選択図】図１
2022001932.tif 000002
【特許請求の範囲】
【請求項１】
表示モジュールであって、
フレームと、
前記フレーム内に取り付けられる液晶パネルと、
前記液晶パネルの入光面に貼合されるガラス拡散板と、
１種類又は複数種類の光学膜を含み、前記液晶パネルと前記ガラス拡散板との間に貼合される膜構造であって、前記膜構造の入光面が前記ガラス拡散板に向かい、前記膜構造の出光面が前記液晶パネルの入光面に向かい、前記液晶パネル、前記ガラス拡散板及び膜構造が貼合されて一体構造を形成する、膜構造と、を備えることを特徴とする、前記表示モジュール。
【請求項２】
前記液晶パネルと前記膜構造との間に透明な第１貼合層があり、前記第１貼合層が前記膜構造を前記液晶パネルの入光面に全体的に貼合することに用いられ、
前記膜構造と前記ガラス拡散板との間に透明な第２貼合層があり、前記第２貼合層が前記ガラス拡散板を前記膜構造の入光面に全体的に貼合することに用いられることを特徴とする
請求項１に記載の表示モジュール。
【請求項３】
前記表示モジュールは、更に、
前記フレームの内側に位置し、前記ガラス拡散板、前記膜構造及び前記液晶パネルの側面を前記フレームに接着する接着剤を備えることを特徴とする
請求項１又は２に記載の表示モジュール。
【請求項４】
前記接着剤がディスペンスプロセスにより前記フレームにコーティングされることを特徴とする
請求項３に記載の表示モジュール。
【請求項５】
前記フレームが前記フレーム内側へ延在してボスを形成し、
前記ガラス拡散板のエッジが前記ボスに支持されることを特徴とする
請求項１又は２に記載の表示モジュール。
【請求項６】
前記液晶パネルに黒色領域があり、
前記黒色領域が前記液晶パネルのエッジに位置し、
前記ボスの前記液晶パネルへの投影が前記黒色領域内に位置することを特徴とする
請求項５に記載の表示モジュール。
【請求項７】
前記表示モジュールは、更に、
前記ボスの下方に位置するバックプレートと、
前記バックプレートに取り付けられ、前記ガラス拡散板と前記バックプレートとの間に位置する光源アセンブリと、を備えることを特徴とする
請求項５に記載の表示モジュール。
【請求項８】
前記光源アセンブリと前記ガラス拡散板との間に隙間があることを特徴とする
請求項７に記載の表示モジュール。
【請求項９】
前記光源アセンブリの側面と前記フレームとの間に隙間があることを特徴とする
請求項７に記載の表示モジュール。
【請求項１０】
請求項１〜９のいずれか１項に記載の表示モジュールを備えることを特徴とする端末装置。
【請求項１１】
表示モジュールの製造方法であって、
前記表示モジュールが請求項１〜９のいずれか１項に記載の表示モジュールであり、前記製造方法は、
膜構造を液晶パネルの入光面に貼合することと、
ガラス拡散板を前記膜構造の入光面に貼合することであって、前記膜構造が前記液晶パネルと前記ガラス拡散板との間に位置し、前記膜構造の出光面が前記液晶パネルの入光面に向かう、ことと、
フレーム内に貼合後の前記液晶パネル、前記ガラス拡散板及び前記膜構造を取り付けることと、を含むことを特徴とする、前記表示モジュールの製造方法。
【請求項１２】
前記フレーム内に貼合後の前記液晶パネル、前記ガラス拡散板及び前記膜構造を取り付けることは、
ディスペンスプロセスにより前記フレームに接着剤をコーティングすることと、
前記接着剤で前記貼合後の前記液晶パネル、前記ガラス拡散板及び前記膜構造の側面を前記フレーム内に接着することと、を含むことを特徴とする
請求項１１に記載の製造方法。
【請求項１３】
前記膜構造を液晶パネルの入光面に貼合することは、
第１接着層により前記膜構造を前記液晶パネルの入光面に全体的に貼合することを含み、
前記ガラス拡散板を前記膜構造の入光面に貼合することは、
第２接着層により前記ガラス拡散板を前記膜構造の入光面に全体的に貼合することを含むことを特徴とする
請求項１１又は１２に記載の製造方法。
【請求項１４】
前記製造方法は、更に、
前記フレームの前記フレーム内側への延在方向にボスを形成することと、
前記ガラス拡散板のエッジを前記ボスと前記液晶パネルとの間に設置することにより、前記ボスに前記ガラス拡散板を支持させることと、を含むことを特徴とする
請求項１１又は１２に記載の製造方法。
【請求項１５】
前記製造方法は、更に、
前記ボスの前記液晶パネルへの投影を前記液晶パネルの黒色領域内に設置することを含むことを特徴とする
請求項１４に記載の製造方法。
【請求項１６】
前記製造方法は、更に、
貼合後の前記液晶パネル、前記ガラス拡散板及び前記膜構造を取り付ける前に、光源アセンブリが取り付けられたバックプレートを前記フレーム上の前記ボスの下方に取り付けることを含み、
前記フレーム内に貼合後の前記液晶パネル、前記ガラス拡散板及び前記膜構造を取り付けることは、
前記光源アセンブリ上の前記フレーム内に前記貼合後の前記液晶パネル、前記ガラス拡散板及び前記膜構造を取り付けることを含むことを特徴とする
請求項１４に記載の製造方法。
【発明の詳細な説明】
【技術分野】
【０００１】
（関連出願の相互参照）
本願は、２０２０年６月１９日に提出した中国特許出願第２０２０１０５６８２１１．０号の優先権を主張し、ここで、該中国特許出願の全内容が本願の一部として援用される。
【０００２】
本開示は電子機器分野に関し、特に表示モジュール、端末装置及び表示モジュールの製造方法に関する。
【背景技術】
【０００３】
端末装置の不断の発展及びユーザーの要求の不断の向上に伴って、端末装置、例えばテレビ装置及びスマートフォンは画面占有率が高くなる方向へ発展している。従来の端末装置において、液晶パネルの黒色領域の幅が６．５ｍｍであり、フレームにより該黒色領域を直接支持して液晶パネルの組立を行うことができる。ところが、液晶パネルの黒色領域の幅が６．５ｍｍから０．９ｍｍまで狭くなるにつれて、該黒色領域を支持することで液晶パネルの組立を行うことは、液晶パネルの組立信頼性が低いという問題がある。
【発明の概要】
【発明が解決しようとする課題】
【０００４】
本開示は表示モジュール、端末装置及び表示モジュールの製造方法を提供する。
【課題を解決するための手段】
【０００５】
本開示の実施例の第１態様は表示モジュールを提供し、前記表示モジュールは、
フレームと、
前記フレーム内に取り付けられる液晶パネルと、
前記液晶パネルの入光面に貼合されるガラス拡散板と、
１種類又は複数種類の光学膜を含み、前記液晶パネルと前記ガラス拡散板との間に貼合される膜構造であって、前記膜構造の入光面が前記ガラス拡散板に向かい、前記膜構造の出光面が前記液晶パネルの入光面に向かい、前記液晶パネル、ガラス拡散板及び膜構造が貼合されて一体構造を形成する、膜構造と、を備える。
【０００６】
いくつかの実施例では、前記液晶パネルと前記膜構造との間に透明な第１貼合層があり、前記第１貼合層が前記膜構造を前記液晶パネルの入光面に全体的に貼合することに用いられ、
前記膜構造と前記ガラス拡散板との間に透明な第２貼合層があり、前記第２貼合層が前記ガラス拡散板を前記膜構造の入光面に全体的に貼合することに用いられる。
【０００７】
いくつかの実施例では、前記表示モジュールは、更に、
前記フレームの内側に位置し、前記ガラス拡散板、前記膜構造及び前記液晶パネルの側面を前記フレームに接着する接着剤を備える。
【０００８】
いくつかの実施例では、前記接着剤がディスペンスプロセスにより前記フレームにコーティングされる。
【０００９】
いくつかの実施例では、前記フレームがフレーム内側へ延在してボスを形成し、
前記ガラス拡散板のエッジが前記ボスに支持される。
【００１０】
いくつかの実施例では、前記液晶パネルに黒色領域があり、
前記黒色領域が前記液晶パネルのエッジに位置し、
前記ボスの前記液晶パネルへの投影が前記黒色領域内に位置する。
【００１１】
いくつかの実施例では、前記表示モジュールは、更に、
前記ボスの下方に位置するバックプレートと、
前記バックプレートに取り付けられ、前記ガラス拡散板の裏面と前記バックプレートとの間に位置する光源アセンブリと、を備える。
【００１２】
いくつかの実施例では、前記光源アセンブリと前記ガラス拡散板との間に隙間がある。
【００１３】
いくつかの実施例では、前記光源アセンブリの側面と前記フレームとの間に隙間がある。
【００１４】
本開示の実施例の第２態様は端末装置を提供し、前記端末装置は上記第１態様における表示モジュールを備える。
【００１５】
本開示の実施例の第３態様は表示モジュールの製造方法を提供し、前記表示モジュールが上記第１態様における表示モジュールであり、前記製造方法は、
膜構造を液晶パネルの入光面に貼合することと、
ガラス拡散板を前記膜構造の入光面に貼合することであって、前記膜構造が前記液晶パネルと前記ガラス拡散板との間に位置し、前記膜構造の出光面が前記液晶パネルの入光面に向かう、ことと、
フレーム内に貼合後の前記液晶パネル、前記ガラス拡散板及び前記膜構造を取り付けることと、を含む。
【００１６】
いくつかの実施例では、フレーム内に貼合後の前記液晶パネル、前記ガラス拡散板及び前記膜構造を取り付けることは、
ディスペンスプロセスにより前記フレームに接着剤をコーティングすることと、
前記接着剤で前記貼合後の前記液晶パネル、前記ガラス拡散板及び前記膜構造の側面を前記フレーム内に接着することと、を含む。
【００１７】
いくつかの実施例では、前記膜構造を液晶パネルの入光面に貼合することは、
第１接着層により前記膜構造を前記液晶パネルの入光面に全体的に貼合することを含み、
前記ガラス拡散板を前記膜構造の入光面に貼合することは、
第２接着層により前記ガラス拡散板を前記膜構造の入光面に全体的に貼合することを含む。
【００１８】
いくつかの実施例では、前記製造方法は、更に、
前記フレームの前記フレーム内側への延在方向にボスを形成することと、
前記ガラス拡散板のエッジを前記ボスと前記液晶パネルとの間に設置することにより、前記ボスに前記ガラス拡散板を支持させることと、を含む。
【００１９】
いくつかの実施例では、前記製造方法は、更に、
前記ボスの前記液晶パネルへの投影を前記液晶パネルの黒色領域内に設置することを含む。
【００２０】
いくつかの実施例では、前記製造方法は、更に、
貼合後の前記液晶パネル、前記ガラス拡散板及び前記膜構造を取り付ける前に、光源アセンブリが取り付けられたバックプレートを前記フレーム上の前記ボスの下方に取り付けることを含み、
前記フレーム内に貼合後の前記液晶パネル、前記ガラス拡散板及び前記膜構造を取り付けることは、
前記光源アセンブリ上の前記フレーム内に前記貼合後の前記液晶パネル、前記ガラス拡散板及び前記膜構造を取り付けることを含む。
【発明の効果】
【００２１】
本開示の実施例に係る技術的解決策は、以下の有益な効果を有し得る。
【００２２】
本開示の実施例において、ガラス拡散板は液晶パネルの入光面に貼合され、膜構造は液晶パネルとガラス拡散板との間に貼合される。つまり、本開示の実施例では、フレームにより黒色領域を直接支持して固定して液晶パネルの組立を実現することなく、ガラス拡散板により液晶パネル全体を間接的に支持して液晶パネルの組立を実現し、支持面積を増加させ、表示モジュールの組立信頼性を向上させることができる。同時に、本開示の実施例において、液晶パネルの組立方式は、液晶パネルの黒色領域の幅が狭くなる傾向に適応することができ、更にディスプレイの画面占有率を更に高めることができ、液晶パネルの組立に汎用性を有させることができる。
【００２３】
以上の一般的な説明及び以下の詳細な説明は、単に例示的且つ解釈的なものであり、本開示を制限するためのものではないことを理解されたい。
【図面の簡単な説明】
【００２４】
【図１】図１は例示的な実施例に係る表示モジュールの模式図１である。
【図２】図２は例示的な実施例に係る表示モジュールの模式図２である。
【図３】図３は例示的な実施例に係る表示モジュールの模式図３である。
【図４】図４は例示的な実施例に係る表示モジュールの模式図４である。
【図５】図５は例示的な実施例に係る表示モジュールの模式図５である。
【図６】図６は例示的な実施例に係る表示モジュールの模式図６である。
【図７】図７は例示的な実施例に係る表示モジュールの模式図７である。
【図８】図８は例示的な実施例に係る表示モジュールの製造プロセスの模式図である。
【図９】図９は例示的な実施例に係る端末装置のブロック図である。
【発明を実施するための形態】
【００２５】
ここの図面は明細書に取り込まれて本明細書の一部となり、本開示に合致する実施例を示し、明細書とともに本発明の原理を解釈することに用いられる。
【００２６】
ここで例示的な実施例を詳しく説明し、その例を図面に示す。以下の説明は図面に関わる場合、特に示さない限り、異なる図面における同じ数字が同様又は類似の要素を示す。以下の例示的な実施例に説明される実施形態は本発明に合致するすべての実施形態を代表しない。逆に、それらは添付の特許請求の範囲に詳しく説明された、本発明のいくつかの態様に合致する装置及び方法の例に過ぎない。
【００２７】
図１は例示的な実施例に係る表示モジュールの構造模式図１である。図１に示すように、表示モジュールは、
フレーム１０１と、
前記フレーム内に取り付けられる液晶パネル１０２と、
前記液晶パネル１０２の入光面に貼合されるガラス拡散板１０３と、
１種類又は複数種類の光学膜を含み、前記液晶パネル１０２と前記ガラス拡散板１０３との間に貼合される膜構造１０４であって、前記膜構造１０４の入光面が前記ガラス拡散板１０３に向かい、前記膜構造１０４の出光面が前記液晶パネル１０２の入光面に向かい、前記液晶パネル１０２、前記ガラス拡散板１０３及び膜構造１０４が貼合されて一体構造を形成する、膜構造１０４と、を備える。
【００２８】
本開示の実施例では、上記表示モジュールは端末装置に適用されてもよい。該端末装置はモバイル端末及び固定端末を含む。該モバイル端末は携帯電話、タブレットコンピュータ又はノートパソコン等を含むが、それらに限らない。該固定端末はテレビ装置又はデスクトップパソコン等を含むが、それらに限らない。
【００２９】
上記フレームは端末装置を取り囲んで露出する筐体である。該フレームは金属、プラスチック又はガラスとプラスチックとを含む合成材料からなる筐体であってもよい。
【００３０】
説明すべきものは、該フレームの幅が３．３ｍｍ（ミリメートル）または０．６ｍｍであってもよく、本開示の実施例は制限しない。
【００３１】
上記液晶パネルが情報を表示することに用いられる。
【００３２】
本開示の実施例では、フレームが１つの収容空間を取り囲んで形成してもよく、液晶パネルが該収容空間内に嵌め込まれる。
【００３３】
上記ガラス拡散板は光線を拡散させ、透過した光線を分散させて均一にすることに用いられる。該ガラス拡散板が液晶パネルの入光面に貼合される。液晶パネルの入光面が液晶パネルの出光面の反対面である。
【００３４】
本開示の実施例では、ガラス拡散板は強度が高く、変形しにくいという特性を有する。該ガラス拡散板は更に液晶パネルを支持することに用いられてもよい。
【００３５】
説明すべきものは、従来のプラスチック材質の拡散板に比べて、本開示の実施例は強度が高いが変形しにくいという特性を有するガラス材質のガラス拡散板を用い、環境の変化に起因してガラス拡散板の内部が膨張して隙間が大きな状況を少なくすることができ、液晶パネルをより良く支持することができる。
【００３６】
上記膜構造は液晶パネルとガラス拡散板との間に貼合され、表示モジュールの表示効果を向上させることに用いられる。
【００３７】
説明すべきものは、膜構造は増光膜及び拡散膜を含むが、それらに限らない。該増光膜はプリズムフィルム（ｌｅｎｓ）又は輝度向上フィルムを含むが、それらに限らない。
【００３８】
本開示の実施例では、上記入光面は光線が入射する表面であり、上記出光面は光線が射出される表面である。例えば、液晶パネルの入光面は光線が液晶パネルに入射する表面であり、膜構造の入光面は光線が膜構造に入射する表面であり、膜構造の出光面は光線が膜構造から射出される表面である。
【００３９】
説明すべきものは、液晶パネル、ガラス拡散板及び膜構造の入光面及び出光面はいずれも反対に設置される表面である。
【００４０】
関連技術において、図２に示すように、フレームの幅が３．３ｍｍであり、液晶パネルの黒色領域の幅が６．５ｍｍであり、液晶パネル２０１とフレーム２０２との間の隙間２０４が１ｍｍである。液晶パネル２０１を固定するよう、液晶パネル２０１の黒色領域部分がゴムバンド２０３でフレーム２０２に貼付される。黒色領域とフレームとの間の貼付幅が３．３ｍｍである。ところが、液晶パネルの黒色領域の幅が６．５ｍｍから０．９ｍｍまで狭くなる場合、ゴムバンドでフレームと液晶パネルの黒色領域とを直接貼付すれば、貼付幅の減少に起因して液晶パネルの組立安定性が低くなるという問題がある。同時に、表示領域以外の非表示領域の幅が高くとも１０．８ｍｍに達し、画面占有率が低いという問題がある。
【００４１】
これに基づき、本開示の実施例は表示モジュールを提供し、該表示モジュールはフレームの幅が０．６ｍｍであってもよく、液晶パネルの黒色領域の幅が０．９ｍｍであってもよい。該表示モジュールの表示領域以外の非表示領域の幅が１．５ｍｍに接近してもよく、更に本開示の実施例によって画面占有率を高めることができる。
【００４２】
且つ、本開示の実施例の液晶パネルの表面に膜構造が貼合され、膜構造の表面にガラス拡散板が貼合される。つまり、本開示の実施例はフレームにより黒色領域を直接支持して液晶パネルの組立を実現することなく、ガラス拡散板により液晶パネル全体を間接的に支持して液晶パネルの組立を実現し、支持面積を増加させ、表示モジュールの組立信頼性を向上させることができる。同時に、本開示の実施例における液晶パネルの組立方式は液晶パネルの黒色領域の幅が狭くなる傾向に適応することができ、更にディスプレイの画面占有率を更に高めることができ、液晶パネルの組立に汎用性を有させる。
【００４３】
いくつかの実施例では、図３に示すように、前記液晶パネル１０２と前記膜構造１０４との間に透明な第１貼合層１０５があり、前記第１貼合層１０５が前記膜構造１０４を前記液晶パネル１０２の入光面に全体的に貼合することに用いられ、
前記膜構造１０４と前記ガラス拡散板１０３との間に透明な第２貼合層１０６があり、前記第２貼合層１０６が前記ガラス拡散板１０３を前記膜構造１０４の入光面に全体的に貼合することに用いられる。
【００４４】
本開示の実施例では、膜構造が第１貼合層により液晶パネルの入光面に貼合され、ガラス拡散板が第２貼合層により膜構造の入光面に貼合される。該第１貼合層と第２貼合層とがいずれも透明なコロイドで構成されてもよい。該透明なコロイドは光学接着剤を含むが、それらに限らない。
【００４５】
説明すべきものは、液晶パネル、膜構造及びガラス拡散板同士が全体的に貼合される。貼合領域は中間領域及びエッジ領域を含み、該エッジ領域が中間領域の周囲に位置する。上記全体的な貼合は各領域に貼合され、つまりエッジ領域のみに貼合されるのではなく、中間領域及びエッジ領域に貼合されることを含んでもよい。
【００４６】
いくつかの実施例では、第１貼合層の面積が所定の第１面積閾値より大きくて膜構造の液晶パネルの表面に向かう第１面積以下であり、第２貼合層の面積が所定の第２面積閾値より大きくて膜構造のガラス拡散板の表面に向かう第２面積以下である。
【００４７】
例示的に、上記第１面積閾値が第１面積の半分以上であってもよく、第２面積閾値が第２面積の半分以上であってもよい。
【００４８】
理解されるように、本開示の実施例では、液晶パネル、膜構造及びガラス拡散板同士が全体的に貼合され、ガラス拡散板が変形しにくいという特徴を有するため、液晶パネルとガラス拡散板との間に位置する膜構造が環境の影響を受けて変形する可能性を低減し、液晶パネルの組立信頼性を向上させることができる。
【００４９】
いくつかの実施例では、図４に示すように、前記表示モジュールは、更に、
前記フレーム１０１の内側に位置し、前記ガラス拡散板１０３、前記膜構造１０４及び前記液晶パネルの側面１０２を前記フレーム１０１に接着する接着剤１０７を備える。
【００５０】
本開示の実施例では、ガラス拡散板、膜構造及び液晶パネルをフレームに接着することは、液晶パネル、ガラス拡散板及び膜構造を貼合することと、貼合後の液晶パネル、ガラス拡散板及び膜構造を接着剤でフレームに接着することと、を含む。
【００５１】
説明すべきものは、接着剤はコロイドからなるものを含む。該接着剤の接着幅が接着強度に正相関する。接着剤の接着幅を増加させることにより、接着強度への要件が高いシーンを満たすことができる。
【００５２】
例示的に、該接着の接着幅が０．４ｍｍ〜０．８ｍｍであってもよく、本開示の実施例は制限しない。
【００５３】
いくつかの実施例では、前記接着剤がディスペンスプロセスにより前記フレームにコーティングされる。
【００５４】
本開示の実施例では、ディスペンサーにより貼合後の液晶パネル、ガラス拡散板及び膜構造のフレームへの投影領域でディスペンスすることができる。該投影領域のフレームでの長さが液晶パネル、膜構造及びガラス拡散板の厚さの和以上である。
【００５５】
理解されるように、ディスペンスプロセスにより接着剤をコーティングすることで、正確なディスペンスを実現し、表示モジュールの組立信頼性を向上させることができる。
【００５６】
他の実施例では、接着剤が防水接着剤である。
【００５７】
説明すべきものは、防水接着剤で液晶パネル、ガラス拡散板及び膜構造を固定することにより、表示モジュールの防水性を向上させることができる。
【００５８】
いくつかの実施例では、図５に示すように、前記フレーム１０１がフレーム内側へ延在してボス１０１ａを形成し、
前記ガラス拡散板１０３のエッジが前記ボス１０１ａに支持される。
【００５９】
本開示の実施例では、ガラス拡散板のエッジがボスに支持され、ボスによりガラス拡散板を支持することで、ガラス拡散板が液晶パネルをより良く支持することができ、更に液晶パネルの組立強度を向上させることができる。
【００６０】
いくつかの実施例では、図６に示すように、前記液晶パネル１０２に黒色領域１０２ａがあり、
前記黒色領域１０２ａが前記液晶パネル１０２のエッジに位置し、
前記ボス１０１ａの前記液晶パネル１０２への投影が前記黒色領域１０２ａ内に位置する。
【００６１】
上記黒色領域は液晶パネルのエッジに位置し、光線を遮って液晶パネルのエッジに光が漏れる状況を少なくすることに用いられる。
【００６２】
上記黒色領域が黒色マトリックスにより形成されたものであってもよく、該黒色領域が液晶パネルのエッジ領域を１回り取り囲んで密閉された環状を形成する。
【００６３】
本開示の実施例では、ボスの液晶パネルへの投影が黒色領域の位置する領域内に位置する。つまり、黒色領域は更にボスを遮ってボスが液晶パネルの表示領域内に露出する状況を少なくすることに用いられてもよく、更に液晶パネルの表示領域を増加させることができる。
【００６４】
いくつかの実施例では、図７に示すように、前記表示モジュールは、更に、
前記ボス１０１ａの下方に位置するバックプレート１０８と、
前記バックプレート１０８に取り付けられ、前記ガラス拡散板１０３と前記バックプレート１０８との間に位置する光源アセンブリ１０９と、を備える。
【００６５】
つまり、本開示の実施例の液晶パネルは液晶-液晶パネルであり、該液晶-液晶パネルが用いたバックライト光源はバックプレートに位置する光源アセンブリにより液晶-液晶パネルに表示光線を提供することができる。
【００６６】
説明すべきものは、バックプレートとガラス拡散板とがそれぞれボスの反対両側に位置し、光源アセンブリがバックプレートとガラス拡散板との間に位置する。本開示の実施例では、バックプレート、光源アセンブリ、ガラス拡散板、膜構造及び液晶パネルが積層方式で組み立てて表示モジュールを形成する。
【００６７】
上記ガラス拡散板は光源アセンブリが発した表示光線を拡散させ、表示光線を分散させて均一にすることに用いられる。
【００６８】
上記光源アセンブリは複数の点光源（例えば、発光ダイオード（ＬＥＤ））又は複数の線光源（例えば、冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ））を含む。
【００６９】
本開示の実施例では、前記光源アセンブリが液晶パネルの側面ではなく下方に位置するため、前記表示モジュールが直下型表示モジュールである。
【００７０】
いくつかの実施例では、光源アセンブリの発光面がガラス拡散板に向かい、光源アセンブリとガラス拡散板との間に他の光学膜部材がない。例えば、該他の光学膜部材は導光シート及び／又は拡散シートを含む。
【００７１】
他の実施例では、表示モジュールは更に拡散シートを備え、該拡散シートがガラス拡散板に全体的に貼合され、膜構造がガラス拡散板に全体的に貼合され、拡散シートが膜構造とガラス拡散板との間に位置する。
【００７２】
説明すべきものは、ガラス拡散板に拡散シートを全体的に貼合することにより、表示光線を更に分散させて均一にして、表示アセンブリの表示効果を向上させることができる。
【００７３】
いくつかの実施例では、前記光源アセンブリと前記ガラス拡散板との間に隙間がある。
【００７４】
本開示の実施例では、光源アセンブリとガラス拡散板との間に位置する隙間は光源アセンブリ及びガラス拡散板のプロセス誤差の許容空間を提供することに用いられる。このように、光源アセンブリとガラス拡散板とを容易に組み立てることができる。
【００７５】
いくつかの実施例では、前記光源アセンブリの側面と前記フレームとの間に隙間がある。
【００７６】
本開示の実施例では、光源アセンブリの側面とフレームとの間に位置する隙間は光源アセンブリ及びフレームのプロセス誤差の許容空間を提供することに用いられる。このように、光源アセンブリとガラス拡散板とを容易に組み立てることができる。
【００７７】
本開示の実施例は更に端末装置を提供し、前記端末装置は上記１種類又は複数種類の実施例における表示モジュールを備える。
【００７８】
上記端末装置はウェアラブル電子機器及びモバイル端末であってもよく、該モバイル端末は携帯電話、ノートパソコン及びタブレットコンピュータを含み、該ウェアラブル電子機器はスマートウォッチを含み、本開示の実施例は制限しない。
【００７９】
理解されるように、本開示の実施例の端末装置において、ガラス拡散板が液晶パネルの入光面に貼合され、膜構造が液晶パネルとガラス拡散板との間に貼合される。つまり、本開示の実施例はフレームにより黒色領域を直接支持して液晶パネルの組立を実現することなく、ガラス拡散板により液晶パネル全体を間接的に支持して液晶パネルの組立を実現し、支持面積を増加させ、表示モジュールの組立信頼性を向上させることができる。同時に、本開示の実施例における液晶パネルの組立方式は液晶パネルの黒色領域の幅が狭くなる傾向に適応することができ、液晶パネルの組立に汎用性を有させる。
【００８０】
本開示の実施例は更に表示モジュールの製造方法を提供し、図８に示すように、該表示モジュールが上記１種類又は複数種類の実施例における表示モジュールであり、前記製造方法は、
膜構造を液晶パネルの入光面に貼合するＳ１１と、
ガラス拡散板を前記膜構造の入光面に貼合するＳ１２であって、前記膜構造が前記液晶パネルと前記ガラス拡散板との間に位置し、前記膜構造の出光面が前記液晶パネルの入光面に向かう、Ｓ１２と、
フレーム内に貼合後の前記液晶パネル、前記ガラス拡散板及び前記膜構造を取り付けるＳ１３と、を含む。
【００８１】
理解されるように、本開示の実施例の膜構造が液晶パネルの入光面に貼合され、ガラス拡散板が前記膜構造の入光面に貼合される。つまり、本開示の実施例はフレームにより黒色領域を直接支持して液晶パネルの組立を実現することなく、ガラス拡散板により液晶パネル全体を間接的に支持して液晶パネルの組立を実現し、支持面積を増加させ、表示モジュールの組立信頼性を向上させることができる。同時に、本開示の実施例における液晶パネルの組立方式は液晶パネルの黒色領域の幅が狭くなる傾向に適応することができ、液晶パネルの組立に汎用性を有させる。
【００８２】
いくつかの実施例では、フレーム内に貼合後の前記液晶パネル、前記ガラス拡散板及び前記膜構造を取り付けることは、
ディスペンスプロセスにより前記フレームに接着剤をコーティングすることと、
前記接着剤で前記貼合後の前記液晶パネル、前記ガラス拡散板及び前記膜構造の側面を前記フレーム内に接着することと、を含む。
【００８３】
いくつかの実施例では、膜構造を液晶パネルの入光面に貼合することは、
第１接着層により前記膜構造を前記液晶パネルの入光面に全体的に貼合することを含み、
ガラス拡散板を前記膜構造の入光面に貼合することは、
第２接着層により前記ガラス拡散板を前記膜構造の入光面に全体的に貼合することを含む。
【００８４】
いくつかの実施例では、前記製造方法は、更に、
前記フレーム内側の延在方向にボスを形成することと、
前記ガラス拡散板のエッジを前記ボスと前記液晶パネルとの間に設置することにより、前記ボスに前記ガラス拡散板を支持させることと、を含む。
【００８５】
いくつかの実施例では、前記製造方法は、更に、
前記ボスの前記液晶パネルへの投影を前記液晶パネルの黒色領域内に設置することを含む。
【００８６】
いくつかの実施例では、前記製造方法は、更に、
貼合後の前記液晶パネル、前記ガラス拡散板及び前記膜構造を取り付ける前に、光源アセンブリが取り付けられたバックプレートを前記フレーム上の前記ボスの下方に取り付けることを含み、
フレーム内に貼合後の前記液晶パネル、前記ガラス拡散板及び前記膜構造を取り付けることは、
前記光源アセンブリ上の前記フレーム内に前記貼合後の前記液晶パネル、前記ガラス拡散板及び前記膜構造を取り付けることを含む。
【００８７】
いくつかの実施例では、光源アセンブリが取り付けられたバックプレートを前記フレーム上の前記ボスの下方に取り付けることは、
前記バックプレートに光源アセンブリを取り付けることにより、前記光源アセンブリが前記ボスと揃えて、前記光源アセンブリと前記フレームとの間に第２隙間があるようにすることと、
取り付け後のバックプレート及び光源アセンブリをフレーム上のボスの下方に置くことと、を含む。
【００８８】
いくつかの実施例では、前記製造方法は、更に、
光源アセンブリ及びガラス拡散板を調整することにより、光源アセンブリとガラス拡散板との間に第１隙間を有することを含む。
【００８９】
上記実施例の製造方法については、各実施例の製造方法の実現方式は既に関連する該製造方法で製造された表示モジュールの各実施例において詳しく説明されたため、ここで詳細な説明は省略する。
【００９０】
説明すべきものは、本開示の実施例の「第１」及び「第２」は説明・区分のためのものであり、他の意味を有しない。
【００９１】
図９は例示的な実施例に係る端末装置のブロック図である。例えば、端末装置は携帯電話、コンピュータ、デジタル放送端末、メッセージ送受信装置、ゲームコンソール、タブレット装置、医療装置、フィットネス装置、パーソナルデジタルアシスタント等であってもよい。
【００９２】
図９に示すように、端末装置は処理アセンブリ８０２、メモリ８０４、電力アセンブリ８０６、マルチメディアアセンブリ８０８、オーディオアセンブリ８１０、入力／出力（Ｉ／Ｏ）インターフェース８１２、センサアセンブリ８１４及び通信アセンブリ８１６のうちの１つ又は複数のアセンブリを備えてもよい。
【００９３】
処理アセンブリ８０２は一般的に端末装置の全体操作、例えば表示、電話コール、データ通信、カメラ操作及び記録操作に関連する操作を制御する。処理アセンブリ８０２は命令を実行することにより、上記方法の全部又は一部のステップを完了する１つ又は複数のプロセッサ８２０を備えてもよい。なお、処理アセンブリ８０２は処理アセンブリ８０２と他のアセンブリとの相互作用に役立つ１つ又は複数のモジュールを備えてもよい。例えば、処理アセンブリ８０２はマルチメディアアセンブリ８０８と処理アセンブリ８０２との相互作用に役立つマルチメディアモジュールを備えてもよい。
【００９４】
メモリ８０４は様々なタイプのデータを記憶することにより端末装置における操作をサポートするように構成される。これらのデータの例は端末装置において操作するためのいかなるアプリケーションプログラム又は方法の命令、連絡先データ、電話帳データ、メッセージ、画像、ビデオ等を含む。メモリ８０４はいかなるタイプの揮発性記憶装置又は不揮発性記憶装置、例えばスタティックランダムアクセスメモリ（ＳＲＡＭ）、電気的消去可能プログラム可能読み出し専用メモリ（ＥＥＰＲＯＭ）、消去可能プログラム可能読み出し専用メモリ（ＥＰＲＯＭ）、プログラム可能読み出し専用メモリ（ＰＲＯＭ）、読み出し専用メモリ（ＲＯＭ）、磁気メモリ、フラッシュメモリ、磁気ディスク又は光ディスク、又はそれらの組み合わせで実現されてもよい。
【００９５】
電力アセンブリ８０６は端末装置の様々なアセンブリに電力を提供する。電力アセンブリ８０６は電源管理システム、１つ又は複数の電源、並びに端末装置への電力の生成、管理及び分配に関連する他のアセンブリを備えてもよい。
【００９６】
マルチメディアアセンブリ８０８は端末装置とユーザーとの間に１つの出力インターフェースを提供する表示パネルを備える。いくつかの実施例では、表示パネルは液晶ディスプレイ（ＬＣＤ）及びタッチパネル（ＴＰ）を含んでもよい。表示パネルがタッチパネルを含む場合、ユーザーからの入力信号を受信するよう、表示パネルはタッチスクリーンとして実現されてもよい。タッチ、スワイプ及びタッチパネルにおけるジェスチャーを検知するよう、タッチパネルは１つ又は複数のタッチセンサを備える。タッチセンサはタッチ又はスワイプ動作の境界を検知するだけでなく、更にタッチ又はスワイプ操作に関連する持続時間及び圧力を検出することができる。いくつかの実施例では、マルチメディアアセンブリ８０８は１つの前置カメラ及び／又は後置カメラを備える。端末装置が操作モード、例えば撮影モード又はビデオモードにある場合、前置カメラ及び／又は後置カメラは外部のマルチメディアデータを受信することができる。各前置カメラ及び後置カメラは１つの一定の光学レンズシステムであり、又は集束及び光学ズーム能力を有してもよい。
【００９７】
オーディオアセンブリ８１０はオーディオ信号を出力及び／又は入力するように構成される。例えば、オーディオアセンブリ８１０は１つのマイクロフォン（ＭＩＣ）を備え、端末装置が操作モード、例えばコールモード、記録モード及び音声識別モードにある場合、マイクロフォンは外部オーディオ信号を受信するように構成される。受信されたオーディオ信号は更にメモリ８０４に記憶され、又は通信アセンブリ８１６により送信されてもよい。いくつかの実施例では、オーディオアセンブリ８１０は更にオーディオ信号を出力するための１つの拡声器を備える。
【００９８】
入力／出力（Ｉ／Ｏ）インターフェース８１２は処理アセンブリ８０２と周辺インターフェースモジュールとの間にインターフェースを提供し、上記周辺インターフェースモジュールはキーボード、クリックホイール、ボタン等であってもよい。これらのボタンはホームページボタン、音量ボタン、スタートボタン及びロックボタンを含んでもよいが、それらに限らない。
【００９９】
センサアセンブリ８１４は端末装置に各態様の状態評価を提供するための１つ又は複数のセンサを備える。例えば、センサアセンブリ８１４は端末装置のオン／オフ状態、アセンブリの相対位置決めを検出することができ、例えばアセンブリは端末装置のディスプレイ及びキーパッドであり、センサアセンブリ８１４は更に端末装置又は端末装置の１つのアセンブリの位置変化、ユーザーが端末装置に接触しているかどうか、端末装置の方位又は加速／減速及び端末装置の温度変化を検出することができる。センサアセンブリ８１４は物理的に接触しない際に近傍物体があるかどうかを検出するように構成される接近センサを備えてもよい。センサアセンブリ８１４は更にイメージングアプリケーションに使用されるための光センサ、例えばＣＭＯＳ又はＣＣＤ画像センサを備えてもよい。いくつかの実施例では、該センサアセンブリ８１４は更に加速度センサ、ジャイロスコープセンサ、磁気センサ、圧力センサ又は温度センサを含んでもよい。
【０１００】
通信アセンブリ８１６は端末装置と他の装置との有線又は無線方式の通信に役立つように構成される。端末装置は通信規格に基づく無線ネットワーク、例えばＷｉＦｉ、２Ｇ又は３Ｇ、又はそれらの組み合わせにアクセスすることができる。１つの例示的な実施例では、通信アセンブリ８１６は放送チャネルを介して外部放送管理システムからのブロードキャスト信号又はブロードキャスト関連情報を受信する。１つの例示的な実施例では、近距離通信を促進するよう、通信アセンブリ８１６は更に近距離無線通信（ＮＦＣ）モジュールを備える。例えば、ＮＦＣモジュールは無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術により実現されてもよい。
【０１０１】
例示的な実施例では、上記方法を実行するために、端末装置は１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子素子により実現されてもよい。
【０１０２】
当業者が明細書を考慮しここに開示される発明を実践した後、本発明の他の実施形態に容易に想到し得る。本願は本発明のいかなる変形、用途や適応変化を含むように意図されるものであり、これらの変形、用途や適応変化は本発明の一般的な原理に従い、本開示に開示されていない本技術分野の公知常識又は慣用技術手段を含む。明細書及び実施例は例示的なものであると見なされ、本発明の真の範囲及び精神は以下の特許請求の範囲に指摘される。
【０１０３】
理解すべきものは、本発明は以上に説明されて図面に示される正確な構造に限らず、その範囲を逸脱せずに種々の修正や変化を行うことができる。本発明の範囲は添付の特許請求の範囲により限定される。
【図１】
2022001932.tif 000003
【図２】
2022001932.tif 000004
【図３】
2022001932.tif 000005
【図４】
2022001932.tif 000006
【図５】
2022001932.tif 000007
【図６】
2022001932.tif 000008
【図７】
2022001932.tif 000009
【図８】
2022001932.tif 000010
【図９】
2022001932.tif 000011